(57)【要約】【課題】寸法が様々な長尺物巻設体に対して、一台の装置でもって対応（使用）できる長尺物引出装置を提供する。【解決手段】円環状ターン輪２上に設置して用いられ、３本〜８本のアーム４を有する放射状本体と、この本体に対して起立自在に設けられる保持杆８とを、備え、この保持杆８は、アーム４に対してラジアル方向無段階に位置決めされ、しかも、水平姿勢のままとした上記保持杆８によって、上記アーム４の長さを延長するように構成した。【選択図】図７
2019131322.tif 000002
【特許請求の範囲】
【請求項１】
円環状ターン輪（２）の上に設置され鉛直状軸心（Ｌ2 ）廻り回転自在であって、載置された長尺物巻設体（10）から長尺物（10Ｃ）を引出し自在な長尺物引出装置に於て、
３本〜８本のアーム（４）を一体放射状に有すると共に上記長尺物巻設体（10）が載置される放射状本体（５）と、
該放射状本体（５）の上記アーム（４）から鉛直状に起立して、上記長尺物巻設体（10）の孔内周面（10Ａ）に対応して該長尺物巻設体（10）のラジアル方向位置決めをする保持杆（８）と、
を具備し、
上記アーム（４）の横断面形状は、底辺部（41）と、左右鉛直辺部（42）（42）と、該鉛直辺部（42）（42）の上端に連設された係止用内鍔部（43）とを、有し、かつ、上方開口蟻溝状凹溝（46）を有し、
さらに、上記保持杆（８）は、その基端（９）に起立用係止片部（11）を一体に有し、水平又は傾斜姿勢から鉛直姿勢に起立させてゆくと、該起立用係止片部（11）は上記アーム（４）の上記係止用内鍔部（43）を上方へ弾性変形させつつ係止して、上記保持杆（８）は上記アーム（４）に対してラジアル方向無段階位置決め自在に構成され、しかも、上記アーム（４）の外端からラジアル外方へ水平延伸状として上記凹溝(46)に保持された水平姿勢の上記保持杆（８）をもって上記アーム（４）の長さを延長するアーム延長部材（50）に、兼用して、大径の長尺物巻設体（10）を載置するように構成したことを特徴とする長尺物引出装置。
【請求項２】
上記保持杆（８）は、上記基端（９）に水平保持用係止片部（31）を一体に有し、傾斜姿勢から水平姿勢に倒してゆくと、該水平保持用係止片部（31）は上記アーム（４）の上記係止用内鍔部（43）を上方へ弾性変形させつつ係止し、上記保持杆（８）は上記アーム延長部材（50）としてラジアル方向無段階位置決め固定自在に構成されている請求項１記載の長尺物引出装置。
【請求項３】
上記保持杆（８）は上記傾斜姿勢にて、上記水平保持用係止片部（31）が上記係止用内鍔部（43）から遊離して、上記アーム（４）に沿ってラジアル方向に移動自在である請求項２記載の長尺物引出装置。
【発明の詳細な説明】
【技術分野】
【０００１】
本発明は、長尺物引出装置に関する。
【背景技術】
【０００２】
一般住宅や事務所等の建物内の電気配線工事に於て、種々の電線が使用され、電線巻設体（ドーナツ状電線巻回体）についても、内径・外径が大小様々なものが使用される。また、ＰＦ管，ＣＤ管等の可撓性のプラスチックチューブも、電気配線工事及びその他の工事の現場で使用されているが、それ等の巻設体も、内径・外径が大小相違した様々のものがある。
上記工事の現場で、これ等の長尺物巻設体（ドーナツ状長尺物巻回体）から、長尺物を引き出すために、ターンテーブルと一体化されて、上面に、起伏自在な門型線材から成る一対の枠部材に、長尺物巻設体を外嵌状にセットして、長尺物を引出す装置が公知である（特許文献１参照）。
あるいは、直方体型の筐体（収納箱）内に、長尺物巻設体を収納し、上面蓋板の中央の引出窓部から、長尺物を引き出す装置が公知である（特許文献２参照）。
【先行技術文献】
【特許文献】
【０００３】
【特許文献１】特開２００２−６０１４３号公報
【特許文献２】特開２００２−３７０８６６号公報
【発明の概要】
【発明が解決しようとする課題】
【０００４】
従来公知の上述の長尺物引出装置は、外径・内径・高さの各寸法が予め決まっている長尺物巻設体について使用するのであるならば、軽量で、コンパクトで使い易く、問題がない。
しかしながら、電気配線工事及びその他の工事の現場では、既述の如く、長尺物巻設体の内径・外径の寸法が種々雑多であり、特許文献１，２のような従来の長尺物引出装置では、使用が困難な場合があり、特に、極めて大径の長尺物巻設体から長尺物の引出しを行う必要が、時偶生じることがあり、従来の引出装置は、全く対応できなかった。つまり、そのように極めて大径の長尺物巻設体については、静止床面に載置して人力で廻さねばならなかった。
しかも、時偶必要となる、極めて大径の長尺物巻設体用の引出装置は、その外径寸法が過大となって、不使用時に保管場所をとり、現場への運搬も面倒であった。
【課題を解決するための手段】
【０００５】
そこで、本発明は、円環状ターン輪の上に設置され鉛直状軸心廻り回転自在であって、載置された長尺物巻設体から長尺物を引出し自在な長尺物引出装置に於て；３本〜８本のアームを一体放射状に有すると共に上記長尺物巻設体が載置される放射状本体と；該放射状本体の上記アームから鉛直状に起立して、上記長尺物巻設体の孔内周面に対応して該長尺物巻設体のラジアル方向位置決めをする保持杆と；を具備し；上記アームの横断面形状は、底辺部と、左右鉛直辺部と、該鉛直辺部の上端に連設された係止用内鍔部とを、有し、かつ、上方開口蟻溝状凹溝を有し；さらに、上記保持杆は、その基端に起立用係止片部を一体に有し、水平又は傾斜姿勢から鉛直姿勢に起立させてゆくと、該起立用係止片部は上記アームの上記係止用内鍔部を上方へ弾性変形させつつ係止して、上記保持杆は上記アームに対してラジアル方向無段階位置決め自在に構成され、しかも、上記アームの外端からラジアル外方へ水平延伸状として上記凹溝に保持された水平姿勢の上記保持杆をもって上記アームの長さを延長するアーム延長部材に、兼用して、大径の長尺物巻設体を載置するように構成したものである。
【０００６】
また、上記保持杆は、上記基端に水平保持用係止片部を一体に有し、傾斜姿勢から水平姿勢に倒してゆくと、該水平保持用係止片部は上記アームの上記係止用内鍔部を上方へ弾性変形させつつ係止し、上記保持杆は上記アーム延長部材としてラジアル方向無段階位置決め固定自在に構成されている。
また、上記保持杆は上記傾斜姿勢にて、上記水平保持用係止片部が上記係止用内鍔部から遊離して、上記アームに沿ってラジアル方向に移動自在であるように構成する。
【発明の効果】
【０００７】
本発明に係る長尺物引出装置によれば、内径・外径・高さ寸法が、大小様々な長尺物巻設体に対応可能となる。特に、極めて大径の長尺物巻設体であっても、載置可能となり、その巻設体の軸心と、引出装置の鉛直状軸心とが、少し偏在（偏心）したとしても、従来のように床面に載置させるよりも、はるかにスムーズな引出しが行い得る。
即ち、内径・外径・高さ寸法が、相違した（ドーナツ状の）長尺物巻設体を、安定した姿勢をもって保持しつつ、回転し、長尺物が、スムーズかつ確実に引き出しでき、電気配線工事等の工事を能率良く行い得る。さらに、特に大径の前記巻設体以外に使用するとき、及び、保管の際や運搬の際は、回転外径が小さくコンパクトである。しかも、部品が兼用されて、構造の簡素化、軽量化、取り扱いの容易性を図ることができる。
【図面の簡単な説明】
【０００８】
【図１】本発明の実施の一形態を示す使用状態の斜視図である。
【図２】平面図である。
【図３】図２のＡ3 −Ｏ−Ｂ3 断面矢視図である。
【図４】アームの４つの実施例を示す横断面図である。
【図５】アームに対する保持杆の姿勢変化と作用を説明する要部説明側面断面図である。
【図６】アームに対する保持杆の姿勢変化と作用を説明する要部説明正面断面図である。
【図７】大径の巻設体を載置させるためアームの長さを延長した状態を示す平面図である。
【図８】要部側面断面図である。
【図９】アームに対して保持杆を起立姿勢とした要部側面断面図である。
【図１０】図８のＣ10−Ｃ10断面図である。
【図１１】図９のＣ11−Ｃ11断面図である。
【図１２】本発明の他の実施形態を示し、アームに対する保持杆の姿勢変化と作用を説明する傾斜姿勢として移動している状態の要部説明側面断面図である。
【図１３】鉛直姿勢となるように起立させてゆく途中を示す要部説明側面断面図である。
【図１４】鉛直姿勢を示す要部説明側面断面図である。
【図１５】傾斜姿勢から水平姿勢に倒してゆく途中を示す要部説明側面断面図である。
【図１６】水平姿勢を示す要部説明側面断面図である。
【図１７】図12の矢印Ｃ17方向から見た矢視図である。
【図１８】図13の矢印Ｃ18方向から見た矢視図である。
【図１９】図14の矢印Ｃ19方向から見た矢視図である。
【図２０】図12の矢印Ｃ20方向から見た矢視図である。
【図２１】図15の矢印Ｃ21方向から見た矢視図である。
【図２２】図16の矢印Ｃ22方向から見た矢視図である。
【図２３】長尺体について説明するための要部拡大断面図である。
【発明を実施するための形態】
【０００９】
以下、図示の実施の形態に基づき本発明を詳説する。
図１に於て、10は、長尺物10Ｃがドーナツ状（束状）に巻かれた長尺物巻設体であり、Ｚは、この長尺物巻設体10が載置された本発明に係る長尺物引出装置であって、この長尺物引出装置Ｚは、円環状ターン輪２の上に設置して使用される。本発明に係る引出装置に使用される長尺物10Ｃとは、電線，ケーブル，可撓性チューブ等であり、可撓性チューブとしては、図23に縦断面にて示すように、凹凸の無いもの（図23（Ａ）参照）、（螺旋状又は独立凹溝・凸条を有する）凹凸波型の場合（図23（Ｂ）（Ｃ）参照）が挙げ得る。特に、合成樹脂製の可撓性チューブとして、ＰＦ管やＣＤ管も含まれる。
【００１０】
この円環状ターン輪２は、図３に示すように、多数の鋼球（ボール）21と、これを上下から包囲状として、上方リング22・下方リング23によって組立てられている。
また、この円環状ターン輪２は、ターンテーブル等とも一般に呼ばれることもあり、床面等の載置面に、水平状に設置され、本発明に係る長尺物引出装置Ｚは、円環状ターン輪２の上に設置されて、鉛直状軸心Ｌ2 廻りに回転自在である。
【００１１】
図１〜図６に示す実施の形態に於て、３本〜８本のアーム４を一体放射状に有する放射状本体５を備え、この放射状本体５の上にドーナツ状（束状）の長尺物巻設体10が載置される。なお、放射状本体５のアーム４の本数は、図例では３本を示す。好ましくは、４本〜６本である。３本未満では、長尺物巻設体10を安定姿勢で保持することができない。また、８本を越せば、不必要に重量が大きくなる。
８は、本体５のアーム４から鉛直状に起立して、長尺物巻設体10の孔内周面10Ａに対応して、長尺物巻設体10のラジアル方向位置決めをする保持杆である。具体例では、この保持杆８は基端以外は、角パイプ状である。
【００１２】
そして、図４に示したように、アーム４の横断面形状は、底辺部41と、左右鉛直辺部42，42と、該鉛直辺部42，42の上端に連設された係止用内鍔部43とを、一体に有する角型である。しかも、上方開口蟻溝状凹溝46が、形成されていると言うことができる。
なお、図４（Ａ），図５，図６に示した実施例では、内鍔部43は、内方下傾状として、設けられている。これを、図４（Ｂ）に示したように、内方水平状として内鍔部43を形成することも可能である。また、図４（Ｃ）に示す如く、内鍔部43を倒立Ｌ字型とするも好ましい。さらに、図４（Ｄ）に示す如く、内鍔部43は倒立Ｌ字型であって、かつ、その下端43Ａを側外方へ折畳んで２重壁部43Ｗとして、（後述する）下方から上方向への係止外力に対する剛性（強度）をアップするように形成するのも望ましい（図17〜図22参照）。そして、図４（Ａ）〜（Ｄ）のいずれも凹溝45は上方開口蟻溝状である。
【００１３】
さらに、保持杆８は、その基端９に起立保持用の係止片部11を（溶接等によって）一体に有する。図５と図６に示すように、アーム４に対して、そのラジアル外方端開口部から、保持杆８をその基端９から水平状に保ちつつ挿入してゆく（図５（Ａ）の矢印Ｑ参照）。次に、アーム４の所望の位置で挿入を止めて、図５（Ｂ）の矢印Ｍ方向に保持杆８を起立させる。つまり、保持杆８の先端が、ラジアル内方向かつ上方に向かって、起立（揺動）させてゆく。
このような起立（揺動）に伴って、図５（Ｂ）と図６（Ｂ）に示すように、起立保持用の係止片部11は、アーム４の係止用内鍔部43，43に対して押上力Ｆ11を付与する。これによって内鍔部43，43は上方へ弾性変形する（図６（Ｂ）の矢印Ｍ43参照）。
【００１４】
このようにして、図６（Ａ）の水平姿勢から、図６（Ｂ）の矢印Ｍ43方向への内鍔部43，43の弾性変形を経て、図６（Ｃ）の鉛直姿勢では、内鍔部43，43の弾性変形Ｍ43によって、内鍔部43，43から弾発的反力Ｆ43が付与され、保持杆８は鉛直姿勢を維持する。しかも、保持杆８を鉛直姿勢に立設（起立）させ得るアーム４のラジアル方向位置は、任意に（自由に）決め得る。つまり、無段階に位置決め自在である。なお、図５（Ｂ）（Ｃ）及び図６（Ｂ）（Ｃ）に示すように、起立途中及び鉛直姿勢にあっては、常に、保持杆８の下端部８Ｅは、アーム４の底辺部41に圧接する。
しかも、図１からも判る如く、長尺物巻設体10の孔内周面10Ａは、保持杆８を、その上端をラジアル内方向へ倒さんとする力を与えるので、図５（Ｃ）の状態からは保持杆８はラジアル内方向へは倒れることがない。しかも、保持杆８の基端９は、底辺部41と係止用内鍔部43により、下方と上方から強く圧接状態（引掛り状態）となって、保持杆８はラジアル内方向へ不意に位置ずれ（移動）せず、そのラジアル内方位置を、維持できる。
【００１５】
次に、図７〜図11に於て、保持杆８の使用の方法について説明すると、保持杆８を、水平姿勢のままで、（又は、後述の図12の場合は傾斜姿勢のままで、）アーム４の外端開口部45から差込んで、該保持杆８をもって、上記アーム４の長さを延長するアーム延長部材50に、兼用する。
【００１６】
ところで、保持杆８の基端９には前述の起立保持用の係止片部11が一体に付設されており、図７に於て、アーム延長部材50（保持杆８）の先端寄りに下方向の荷重（外力）が作用して、図８の矢印Ｍ8 方向のモーメントが加わった際、アーム４の内鍔部43，43に係止して、上方へ飛び出すことを防止する係止片12が、保持杆８の端面８Ｇに溶接等で固着されている。
また、水平姿勢の保持杆８に於て、基端寄りからラジアル方向の中間にわたって、図８と図10に示すように、左右の内鍔部43，43の上面に（スライド可能に）乗り上げて、保持杆８のラジアル方向の中間から先端にわたって、下方傾斜状となるのを阻止する幅広帯板13が付設されている。
【００１７】
そして、図３に示すように、アーム４は、円環状ターン輪２の上面に、載置・分離自在として、載置され、ボルト等の連結具を使用していないので、円環状ターン輪２の軸心Ｌ2 と、放射状本体５の軸心とが位置ずれを生じたり、場合によっては、長尺物10Ｃを強く引出すときに、放射状本体５と長尺物巻設体10が、円環状ターン輪２に対して水平に滑って、脱落する虞もある。しかしながら、本発明では、図３に示す如く、円環状ターン輪２の外周縁２Ｇに係止可能な（倒立Ｌ字型の）位置決め突片６が下方向に突設されている。
なお、図３では、各アーム４に２個以上の位置決め突片６，６を配設して、種々相違する汎用の円環状ターン輪２に対応できるようにしている。
【００１８】
次に、図１，図２，図７に示すように、放射状本体５は、平面視に於ける中心位置に、有底状の短円筒部15が溶接等で一体に設けられている。
この短円筒部15の有底状とは、完全に閉じる円底板の他に、貫孔を有する円底板を用いる場合も好ましい。
この短円筒部15に（図１，図２，図３等に示した）パイプ材16を上方から差込可能であって、図１に例示したように、長尺物巻設体10の孔内周面10Ａが大きい内径のものでは、保持杆８を適用することで、省略できるが、長尺物巻設体10の孔内周面10Ａの内径が小さ目のものに対しては、上記パイプ材16が、ラジアル方向位置ずれを防ぐ役目をなす。
起立姿勢の保持杆８を使用して長尺物巻設体10の位置決めを行う（位置ずれを阻止する
）場合には、このパイプ材16を取去っても良い。
そして、図７に示すように、保持杆８をもってアーム延長部材50として、放射状本体５のアーム４の長さを十分に延長することで、(極めて）大径の長尺物巻設体10を、軸心Ｌ2
廻りに回転可能として、載置できる。（極めて）大径の長尺物巻設体10は、短径の長尺物巻設体10よりも、その鉛直状軸心が傾いたり、横倒しにくいため、図１に示した起立状の保持杆８が無くとも、比較的安定して放射状本体５───延長されたアーム４───の上に載置保持された状態を維持し、スムーズに巻設体10から長尺物10Ｃを引出す（繰出す）ことができるのである。
【００１９】
言い換えると、アーム４の外端からラジアル外方へ水平延伸状として凹溝46に保持された、水平姿勢の保持杆８をもって、放射状本体５のアーム外端を包絡する外端包絡線の径を十分に増加させて、大径の長尺物巻設体10を載置（保持）できる。そして、従来のように、そのような大径の長尺物巻設体10を固定した床面に載置して引出さねばならない場合に比べて、著しく軽快に長尺物10Ｃを人力で容易に引出してゆくことが可能となる。
【００２０】
次に、図12〜図22に於て、他の実施形態を示す。
図12と、図12の右方向から矢印Ｃ17のように見た図17、及び、図12の左方向から矢印Ｃ20のように見た図20に於て、保持杆８は、基端９に、前述の図５，図６の実施形態と同様の作用をなす、起立保持用係止片部11を有しているが、さらに、水平保持用係止片部31をも有する。
具体的には、図12に示すように、起立保持用係止片部11と水平保持用係止片部31とは直角板片をもって（一体物にて）形成する。起立保持用係止片部11は、保持杆８の下端の一側面に対応し、水平保持用係止片部31は下端部８Ｅに当接して、固着される。図12では、小さな×××印をもって示した溶接にて、上記直角板片が固着される。各係止片部11，31は外形が凸型の板片部にて構成するのが好ましい。
【００２１】
図12に示した保持杆８の傾斜姿勢では、両係止片部11，31は矢印Ｑ1 ，Ｑ2 方向に移動可能である。つまり、傾斜姿勢の保持杆８の両係止片部11，31は、アーム４の係止用内鍔部43を押圧せず（フリー状態として）矢印Ｑ1 ，Ｑ2 方向───つまり、引出装置のラジアル方向───に移動可能である。
図12（図17，図20）に示すように、傾斜姿勢にて矢印Ｑ1 ，Ｑ2 の方向に無段階で移動してきた保持杆８を、所望位置で停止し、次に、図13（図18）の矢印Ｍ方向へ起立させてゆけば、矢印Ｆ11にて示すように内鍔部43を上方へ押上げ、内鍔部43に弾性変形を生じさせて、図14（図19）に示すように鉛直（起立）姿勢にて停止する（固定される）。矢印Ｆ43は、内鍔部43が係止片部11を弾発的に押圧する力（反力）を示す。
このように、保持杆８をアーム４に対して、ラジアル方向に無段階で、固定して、鉛直状姿勢に強固に保持可能である。
なお、図19に示す係止状態（起立保持状態）で、係止用内鍔部43は２重壁部43Ｗであって、下端43Ａの肉厚が大きいため、係止状態での面圧が低くなり、安定して矢印Ｆ43方向の押圧力を発揮し、かつ、下端43Ａの傷付き（摩耗）も発生しにくい。
【００２２】
次に、保持杆８をアーム延長部材50として、使用したい場合、図12（図17，図20）に示すように、傾斜姿勢にて矢印Ｑ1 ，Ｑ2 の方向に無段階で移動して、所望位置で停止させ、次に、図15の矢印Ｍ50方向へ倒してゆく（傾斜姿勢から水平姿勢に倒してゆく）。この矢印Ｍ50方向に倒すことによって、水平保持用係止片部31は、アーム４の内鍔部43を上方へ弾性変形させつつ押上げ、（図15，図21に示す矢印Ｆ31にて示す押圧力にて弾性変形させ、）図16及び図22に示すように水平姿勢にて固定（係止）される。矢印Ｆ43は、内鍔部43が係止片部31を弾発的に押圧する力（反力）を示す。
このように、アーム延長部材50をアーム４に対して、ラジアル方向に無段階で、固定して、不意にアーム全長が変化しないように、保持する。
【００２３】
また、（図示省略したが）放射状本体５のアーム４の本数を６本とすると共に、その内、一つ飛びの３本にはアーム延長部材50を、（図７に示したように）ラジアル外方へ水平延伸状として保持し、かつ、上記６本のアーム４の内の残りの３本は図１，図３等に示す如く、保持杆８を鉛直状に起立して、長尺物巻設体10の孔内周面10Ａに対向させるように構成するも、自由であり、そのように構成すれば、特に、大径の長尺物巻設体10を水平状に安定姿勢で保持しつつ、ラジアル方向に位置ずれ（芯振れ）することをも防止して、一層安定姿勢かつ芯振れなしに維持しながら、スムーズに長尺物10Ｃを引出してゆくことが可能となる。
なお、アーム４の本数を８本として、その内、一つ飛びに４本をアーム延長部材50を付加し、残りの４本には保持杆８を鉛直状に起立させるように、構成することも、自由である（図示省略）。
【００２４】
本発明は、以上詳述したように、円環状ターン輪２の上に設置され鉛直状軸心Ｌ2 廻り回転自在であって、載置された長尺物巻設体10から長尺物10Ｃを引出し自在な長尺物引出装置に於て；３本〜８本のアーム４を一体放射状に有すると共に上記長尺物巻設体10が載置される放射状本体５と；該放射状本体５の上記アーム４から鉛直状に起立して、上記長尺物巻設体10の孔内周面10Ａに対応して該長尺物巻設体10のラジアル方向位置決めをする保持杆８と；を具備し；上記アーム４の横断面形状は、底辺部41と、左右鉛直辺部42，42と、該鉛直辺部42，42の上端に連設された係止用内鍔部43とを、有し、かつ、上方開口蟻溝状凹溝46を有し；さらに、上記保持杆８は、その基端９に起立用係止片部11を一体に有し、水平又は傾斜姿勢から鉛直姿勢に起立させてゆくと、該起立用係止片部11は上記アーム４の上記係止用内鍔部43を上方へ弾性変形させつつ係止して、上記保持杆８は上記アーム４に対してラジアル方向無段階位置決め自在に構成され、しかも、上記アーム４の外端からラジアル外方へ水平延伸状として上記凹溝46に保持された水平姿勢の上記保持杆８をもって上記アーム４の長さを延長するアーム延長部材50に、兼用して、大径の長尺物巻設体10を載置するように構成したので、放射状本体５はアーム４を一体放射状に有し、強度も大きく軽量化を図り得ると共に耐久性も優れる。特に、保持杆８がアーム４に対してラジアル方向無段階位置決め自在であることで、長尺物巻設体10の外径・内径・高さが大小種々のものに対して、柔軟に対応できて至便である。しかも、全体が軽量かつコンパクトとなる。
【００２５】
また、円環状ターン輪２の上面に、この長尺物引出装置Ｚを設置するので、設置・分離自在であって、持運びも容易である。
そして、内鍔部43，43を弾性変形させつつ、基端９の係止片部11が、起立姿勢に切換わる。
そして、保持杆８の基端９は、水平から起立姿勢へ切換わる際に、アーム４の内鍔部43，43を弾性変形させつつ係止状態となるので、一旦起立姿勢となった保持杆８は、がたつかずに安定して、その姿勢及びラジアル方向位置を維持する。
また、保持杆８の起立すべきアーム４のラジアル方向位置を、迅速・簡単に変更・調整できるので、孔内周面10Ａの内径寸法が大小相違する（各種長尺物を各々巻いた）長尺物巻設体10について、本発明に係る一個の引出装置をもって、次々と連続して、室内配線工事等を実施可能となる。
特に、保持杆８をアーム延長部材50に簡単に流用できるので、部品点数も増えず、簡便に、大径の長尺物巻設体10をも載置して回転しつつ繰出すことができる。しかも、大径の長尺物巻設体10は、全体の高さ寸法に比べて、外径寸法が極めて大きいので、保持杆８無しでも、延長アーム上に、安定して載置状態を保持しつつ、長尺物10Ｃをスムーズに引出し（繰出し）できる。このように、長尺物巻設体10の径寸法の大小が広範囲のものに対して、本引出装置が使用可能となる。
【００２６】
また、上記保持杆８は、上記基端９に水平保持用係止片部31を一体に有し、傾斜姿勢から水平姿勢に倒してゆくと、該水平保持用係止片部31は上記アーム４の上記係止用内鍔部43を上方へ弾性変形させつつ係止し、上記保持杆８は上記アーム延長部材50としてラジアル方向無段階位置決め固定自在に構成されているので、アーム延長状態（図７参照）において、アーム延長部材50が不意に、ラジアル方向に移動しない。従って、大径の長尺物巻設体を、一層確実に載置保持できる。つまり、長尺物繰出作業が（不意にストップすることがなくなって、）スムーズに（連続的に）行うことが可能となる。
【００２７】
また、上記保持杆８は上記傾斜姿勢にて、上記水平保持用係止片部31が上記係止用内鍔部43から遊離して、上記アーム４に沿ってラジアル方向に移動自在であるので、保持杆８のラジアル方向位置の変更を容易迅速に行い得る。さらに、保持杆８を起立状に立てて使用する場合（図１参照）と、アーム延長部材50として使用する場合（図７参照）とに、迅速かつ容易に、切換わることが可能となる。
【符号の説明】
【００２８】
２  円環状ターン輪（ターンテーブル）
２Ｇ  外周縁
４  アーム
５  放射状本体
６  位置決め突片
８  保持杆
９  基端
10  長尺物巻設体
10Ａ  孔内周面
10Ｃ  長尺物
11  係止片部
15  短円筒部
16  パイプ材
31  （水平保持用）係止片部
41  底辺部
42  鉛直辺部
43  係止用内鍔部
45  外端開口部
46  凹溝
50  アーム延長部材
Ｌ2 鉛直状軸心
Ｚ  長尺物引出装置
【図１】
2019131322.tif 000003
【図２】
2019131322.tif 000004
【図３】
2019131322.tif 000005
【図４】
2019131322.tif 000006
【図５】
2019131322.tif 000007
【図６】
2019131322.tif 000008
【図７】
2019131322.tif 000009
【図８】
2019131322.tif 000010
【図９】
2019131322.tif 000011
【図１０】
2019131322.tif 000012
【図１１】
2019131322.tif 000013
【図１２】
2019131322.tif 000014
【図１３】
2019131322.tif 000015
【図１４】
2019131322.tif 000016
【図１５】
2019131322.tif 000017
【図１６】
2019131322.tif 000018
【図１７】
2019131322.tif 000019
【図１８】
2019131322.tif 000020
【図１９】
2019131322.tif 000021
【図２０】
2019131322.tif 000022
【図２１】
2019131322.tif 000023
【図２２】
2019131322.tif 000024
【図２３】
2019131322.tif 000025